(57)【要約】【課題】電気機器に主回路端子に装着した箱形端子金具の構造を利用して、追加する外部配線を主回路の電線との干渉なしに単独で接続できるようにした利便性と信頼性の高い配線用接続端子金具を提供する。【解決手段】電気機器の主回路端子板２に装着した箱形端子金具３にリード線８を追加接続する場合に使用する接続端子金具７を、ばね性を有する導電板に二股係止片７ａと中央舌片７ｂを形成したフォーク状の先開形金具で構成し、箱形端子金具３への挿入，接続位置で、前記二股係止片が締結ねじ４の先端首部（この首部に座金５を結合する）を左右から挟持し、中央舌片を端子ねじに結合した電線押え用座金５の下面に差し込んで接続位置に係止保持させる。【選択図】        図１
2007103270.tif 000002
【特許請求の範囲】
【請求項１】
電気機器本体の主回路端子板に組み付けた箱形端子金具に追加接続する配線の接続端子金具であり、前記箱形端子金具が主回路電線の素線を挿入する角筒形ボックスと、ボックスの頂部に螺入した端子ねじと、該端子ねじの先端首部に連結した電線押え用座金とからなるものにおいて、
前記の接続端子金具が、ばね性を有する導電板に二股係止片と中央舌片を形成したフォーク状の先開形金具になり、箱形端子金具への挿入，接続位置では、前記二股係止片で締結ねじの先端首部を左右から挟持し、中央舌片を座金の下面に差し込んで接続位置に保持したことを特徴とする電気機器の配線用接続端子金具。
【請求項２】
請求項１記載の配線用接続端子金具において、二股係止片の内側縁には端子ねじの首部周面に嵌合する凹部を形成するとともに、中央舌片の根元部をＺ字状に屈曲して二股係止片との間に座金に厚みに相応する段差を形成したことを特徴とする電気機器の配線用接続端子金具。
【発明の詳細な説明】
【技術分野】
【０００１】
本発明は、電磁接触器などの電気機器に適用する外部配線用の接続端子金具に関する。
【背景技術】
【０００２】
頭記の電磁接触器ではその主回路端子板をモールドケースの端部に引出して外部の電線と接続するようにしており、この主回路端子に電線を接続する場合に、通常は電線に結合した圧着端子を前記端子板にねじ止めしているが、圧着端子を使わずに電線の素線をそのまま端子板に接続する場合もある。そこで、圧着端子を使わずに電線を接続するための端子金具として前記の主回路端子板に箱形端子金具を組み付け、この箱形端子金具に接続相手の電線の素線を挿入して端子ねじで締結するようにした端子装置が知られている（例えば、特許文献１参照）。
次に、電磁接触器に採用されている前記箱形端子金具の構造および電線の接続方法を図４，図５で説明する。各図において、１は電磁接触器のフレーム（モールドケース）、２はフレーム１の端子台部に引出して配置した主回路端子板、２ａは端子板２の固定ピン、３は前後面を開放した角筒形ボックスに板金加工して前記端子板２の先端に上下可動に嵌着した箱形端子金具（ボックス端子金具）、４は箱形端子金具３のボックス頂部に螺入した端子ねじ、５は端子ねじ４の先端首部４ａに嵌合して回動自在にカシメ止めした電線押え用の座金、６は外部接続する電線（絶縁被覆電線）である。
【０００３】
上記の構成で、主回路端子板２に電線６を接続するには、端子ねじ４を緩めて座金５を上方に引き上げた状態で、フレーム１の前方から電線６の素線６ａを箱形端子金具３のボックス内に差し込み、次いで端子ねじ４を締め込む。これにより、座金５がねじ送りされて下降し、電線６の素線６ａが箱形端子金具３／端子板２，端子板２／座金５の間に押え込まれて接続位置に保持される。なお、図４は２本の電線６を端子板２の上下に差し込んで一括接続した場合を示し、２本の電線６の各素線６ａは端子板２を挟んでその上下面に導電接触しており、１本の電線６を接続する場合には、端子板２の上側，あるいは下側のいずれかに差し込んだ上で、端子ねじ４を締め付ける。
【特許文献１】特開２００２−１９０３３１号公報
【発明の開示】
【発明が解決しようとする課題】
【０００４】
上記した箱形端子金具３を用いることにより、圧着端子を使わずに１本，または２本の電線６を選択的に端子板２に接続することができる。一方、電気機器の主回路端子に接続した前記の主回路電線６とは別に、例えば主回路から付属装置に電源を供給するために、付属装置のリード線を主回路端子２に接続して使用する場合があるが、前記の箱形端子金具３はこのような配線の追加接続に対応した構造になってない。そのために、ユーザーは追加接続するリード線を電線６の素線６ａと一緒に端子金具３のボックスに差し込んで端子ねじ４，座金５により一括して締結するやり方で対処しているが、この接続方法では電線６に較べて細いリード線が外力で簡単に抜けてしまうおそれがあり、また主回路の電線６を差し替えるときにリード線も外れてしまうために配線ミスが生じ易くなるなど、接続の信頼性を確保できない。
【０００５】
そこで、本発明は電磁接触器などの電気機器に装備した箱形端子金具の構造を巧みに利用して、追加する外部配線を主回路の電線との干渉なしに単独で接続できるようにした利便性と信頼性の高い配線用接続端子金具を提供することを目的とする。
【課題を解決するための手段】
【０００６】
上記目的を達成するために、本発明による配線用接続端子金具は、ばね性を有する導電板に二股係止片と中央舌片を形成したフォーク状の先開形金具で構成し、箱形端子金具への挿入，接続位置で、前記二股係止片が締結ねじの先端首部を左右から挟持し、中央舌片を座金の下面に差し込んで接続位置に保持させるようにする（請求項１）。
また、前記配線用接続端子金具を接続位置に安定よく係止保持させるために、二股係止片の内側縁には端子ねじの首部周面に嵌合する凹部を形成し、また中央舌片の根元部をＺ字状に屈曲して二股係止片との間に座金に厚みに相応する段差を形成するものとする（請求項２）。
【発明の効果】
【０００７】
上記の構成によれば、電気機器の主回路端子に追加接続する配線の接続端子金具を前方から箱形端子金具に差し込んでその端子ねじに係止保持した状態では、二股係止片が端子ねじを左右から弾性的に挟持するとともに、座金の下面側に突き出した中央の舌片が端子ねじの締め込みにより座金と端子板との間、あるいは座金と箱形端子金具に差し込んだ主回路電線の素線との間に押え込まれる。これにより、外力で簡単に外れることなく、また主回路電線との干渉なしに、追加する配線の接続端子金具を所定の接続位置に止保持することができて信頼性が向上する。
【発明を実施するための最良の形態】
【０００８】
以下、本発明の実施の形態を図１〜図３に示す実施例に基づいて説明する。なお、実施例の図中で図４，図５に対応する部材には同じ符号を付してその説明は省略する。
すなわち、電気機器の主回路端子板２に嵌着した箱形端子金具３に対して、主回路の電線６とは別に付属装置（図示せず）などのリード線を追加接続する場合に、図示実施例では次記構成の配線用接続端子金具７を使ってリード線８を主回路端子板２に接続するものとする。
ここで、接続端子金具７は図１（ｂ）で示すようにばね性を有する材質（例えば燐青銅など）の導電板に左右一対の二股係止片７ａと中央舌片７ｂを形成したフォーク形状の先開形端子になり、二股係止片７ａにはその先端部の内縁に円弧状の凹部７ｃが切欠き形成されている。また、中央舌片７ｂは二股係止片７ａに較べて短小で、その根元部を下方に向け略Ｚ字形に屈曲して二股係止片７ａとの間に箱形端子金具３の座金５の厚さ分に相応した段差を形成している。そして、端子金具７の後端部にリード線８を例えば半田付けで接続している。
【０００９】
上記の構成で、接続端子金具７を前方から箱形端子金具３に差し込み、図１（ｃ）のように左右の二股係止片７ａを端子ねじ４の先端首部４ａに突き当てて押し込むと、二股係止片７ａの先端が撓み、続いて図１（ｄ）のように凹部７ｃが首部４ａに嵌まり込んでこの位置に係止される。一方、中央舌片７ｂは端子ねじ４の先端に結合されている座金５の下面側に差し込まれる。この状態を図２に示す。
そして、図３のように箱形端子金具３に電線６の素線６ａを挿入した上で、端子ねじ４を締め付けると、座金５が接続端子金具７の中央舌片７ｂを保持したまま電線６の上に押しつけられて主回路端子板２に接続される。しかも、この接続状態では、接続端子金具７の二股係止片７ａが端子ねじ４に係合し、かつ中央舌片７ｂが座金５と電線６との間に挟持されているので、多少の外力が加わっても簡単に脱落するおそれはない。また、主回路の電線６を付替えるために端子ねじ４を緩めても、接続端子金具７は接続位置から外れることなしに接続位置に保持される。なお、１本の電線６を端子板２の下に配線する場合には、接続端子金具７の中央舌片７ｂは座金５と端子板２との間で接続される。
【図面の簡単な説明】
【００１０】
【図１】本発明実施例の構成図で、（ａ）は接続端子金具を箱形端子金具に接続した状態を表す外観斜視図、（ｂ）は接続端子金具の外形図、（ｃ）および（ｄ）は接続端子金具／端子ねじの結合操作の説明図
【図２】図１の接続端子金具を端子ねじ，座金に係止保持した状態を表す斜視図
【図３】図１の箱形端子金具に電線および接続端子金具を接続した状態での側視断面図
【図４】電気機器に装備の箱形端子金具に２本の電線を接続した従来の実使用状態を表す側視断面図
【図５】図４の分解斜視図
【符号の説明】
【００１１】
１    電気機器のフレーム
２    主回路端子板
３    箱形端子金具
４    端子ねじ
４ａ  端子ねじの首部
５    座金
６    電線
６ａ  素線
７    接続端子金具
７ａ  二股係止片
７ｂ  中央舌片
７ｃ  凹部
８    リード線
【図１】
2007103270.tif 000003
【図２】
2007103270.tif 000004
【図３】
2007103270.tif 000005
【図４】
2007103270.tif 000006
【図５】
2007103270.tif 000007